(57)【要約】【課題】使用者の利便性を向上させることができる画像形成装置システムを提供する。【解決手段】画像形成装置システムは、画像形成装置と、サーバー２００と、を有している。サーバー２００は、記憶部２０と、文書において共通の記載である固定部分及び文書において変更される記載である可変部分を検出する記載位置検出部２１１と、固定部分に記載される固定情報及び可変部分に記載される可変情報をそれぞれ決定する固定情報決定部２１２及び可変情報決定部２１３と、固定情報決定部２１２により決定された固定情報が固定部分に記載され、かつ、可変情報決定部２１３により決定された可変情報が可変部分に記載されるように固定情報及び可変情報を合成して文書を作成する合成部２１４と、を備え、画像形成装置は、サーバー２００から合成後文書データを取得するデータ取得手段と、合成後文書データに基づいて用紙に印刷を行う印刷手段と、を備えている。【選択図】図４
2020086822.tif 000002
【特許請求の範囲】
【請求項１】
画像形成装置と、
前記画像形成装置とネットワークを介して通信可能なサーバーと、を有する画像形成装置システムであって、
前記サーバーは、
文書データを記憶する記憶手段と、
前記文書データに基づいて、文書において共通の記載である固定部分及び文書において変更される記載である可変部分を検出する記載位置検出手段と、
前記文書データに基づいて、前記固定部分に記載される固定情報及び前記可変部分に記載される可変情報を決定する記載情報決定手段と、
前記記載情報決定手段により決定された前記固定情報が、前記記載位置検出手段により検出された前記固定部分に記載され、かつ、前記記載情報決定手段により決定された前記可変情報が、前記記載位置検出手段により検出された前記可変部分に記載されるように前記固定情報及び前記可変情報を合成して文書を作成する合成手段と、を備え、
前記画像形成装置は、
前記ネットワークを介して前記サーバーから送信された合成後の文書についての合成後文書データを取得するデータ取得手段と、
前記データ取得手段が取得した前記合成後文書データに基づいて用紙に印刷を行う印刷手段と、を備える、ことを特徴とする画像形成装置システム。
【請求項２】
請求項１に記載の画像形成装置システムであって、
前記サーバーは、前記可変部分に記載される内容について規定された記載ルールを記憶する記載ルール記憶手段を備え、
前記記載情報決定手段は、前記記載ルール記憶手段に記憶された前記記載ルールにしたがって、前記可変部分に記載される可変情報を決定する、ことを特徴とする画像形成装置システム。
【請求項３】
請求項１又は請求項２に記載の画像形成装置システムであって、
前記可変情報には、日付情報、宛名情報、及び設置場所に関係する情報の少なくとも何れかが含まれている、ことを特徴とする画像形成装置システム。
【請求項４】
請求項１又は請求項２に記載の画像形成装置システムであって、
前記画像形成装置の設置場所に基づいて前記可変情報が決定される、ことを特徴とする画像形成装置システム。
【請求項５】
請求項１から請求項４までの何れか１つに記載の画像形成装置システムであって、
前記サーバーには文書の出力期限が記憶されており、
前記画像形成装置は、出力期限を過ぎている文書は印刷しない、ことを特徴とする画像形成装置システム。
【請求項６】
請求項５に記載の画像形成装置システムであって、
前記画像形成装置は、出力期限を過ぎている文書の印刷指示があった場合は、期限が過ぎていることを警告する警告手段を備える、ことを特徴とする画像形成装置システム。
【請求項７】
請求項１から請求項６までの何れか１つに記載の画像形成装置システムであって、
前記画像形成装置は、前記合成後文書データに基づく文書を表示する表示手段を備えている、ことを特徴とする画像形成装置システム。
【請求項８】
請求項１から請求項７までの何れか１つに記載の画像形成装置システムであって、
前記画像形成装置は、入力手段と、前記入力手段による操作に応じて前記合成後文書データの編集を行う編集手段と、を備えている、ことを特徴とする画像形成装置システム。
【請求項９】
請求項１から請求項７までの何れか１つに記載の画像形成装置システムであって、
前記画像形成装置は、携帯端末と通信可能であり、
前記携帯端末による操作に応じて、前記合成後文書データの編集を行う編集手段を備えている、ことを特徴とする画像形成装置システム。
【発明の詳細な説明】
【技術分野】
【０００１】
本発明は、プリントサービスを提供する画像形成装置システムに関する。
【背景技術】
【０００２】
コンビニエンスストア等に設置された画像形成装置の中には、プリントサービスを提供するものがある。プリントサービスとは、例えば、使用者が自宅等でパーソナルコンピュータを用いて作成した文書等を、コンビニエンスストア等に設置された画像形成装置を用いて印刷することができるサービスである。具体的には、使用者はパーソナルコンピュータを用いて作成した文書における文書データを、インターネット等のネットワークを介して外部サーバーに予め記憶させておく。そして、使用者が外出先のコンビニエンスストアの画像形成装置を操作することにより、画像形成装置が外部サーバーから文書データを取得し、当該文書を印刷して出力する。
【０００３】
このように、プリントサービスを利用することにより、使用者は外出先であってもコンビニエンスストアに設置された画像形成装置を用いて文書等を印刷することができる。そのため、会社や自宅以外であっても、コンビニエンスストアさえあればすぐに印刷することができ、利便性が高い。
【０００４】
このような画像形成装置のプリントサービスに関して様々な技術が開示されている。例えば、特許文献１には、コンテンツ登録サーバーから送信された印刷対象のコンテンツ情報を受信し、受信したコンテンツ情報の種類を判定し、判定した種類に応じた印刷方式と印刷パラメータとを自動的に設定して印刷する画像形成装置が開示されている。これにより、使用者による印刷方式等の設定操作を軽減することができ、利便性を向上させることができる。
【先行技術文献】
【特許文献】
【０００５】
【特許文献１】特開２００７−１４８５８０号公報
【発明の概要】
【発明が解決しようとする課題】
【０００６】
上述したように、プリントサービスに関して様々な技術が開示されているが、画像形成装置によるプリントサービス事業は今後もさらに拡大すると考えられており、なお一層、使用者の利便性を向上させることが望まれている。
【０００７】
本発明は、上述の事情に鑑みて為された発明であり、その目的は、使用者の利便性を向上させることができる画像形成装置システムを提供することである。
【課題を解決するための手段】
【０００８】
本発明の一態様に係る画像形成装置システムは、画像形成装置と、前記画像形成装置とネットワークを介して通信可能なサーバーと、を有する画像形成装置システムであって、前記サーバーは、文書データを記憶する記憶手段と、前記文書データに基づいて、文書において共通の記載である固定部分及び文書において変更される記載である可変部分を検出する記載位置検出手段と、前記文書データに基づいて、前記固定部分に記載される固定情報及び前記可変部分に記載される可変情報を決定する記載情報決定手段と、前記記載情報決定手段により決定された前記固定情報が、前記記載位置検出手段により検出された前記固定部分に記載され、かつ、前記記載情報決定手段により決定された前記可変情報が、前記記載位置検出手段により検出された前記可変部分に記載されるように前記固定情報及び前記可変情報を合成して文書を作成する合成手段と、を備え、前記画像形成装置は、前記ネットワークを介して前記サーバーから送信された合成後の文書についての合成後文書データを取得するデータ取得手段と、前記データ取得手段が取得した前記合成後文書データに基づいて用紙に印刷を行う印刷手段と、を備える、ことを特徴とする。
【０００９】
これにより、サーバーに記憶させた文書において、一部のみが異なる文書を印刷することが容易に実行できる。つまり、従来は、文書の一部のみが異なる場合は、異なる文書ごとに文書データを作成し、それらそれぞれの文書データをすべてサーバーに記憶させることが必要であった。しかし、上記画像形成装置システムによれば、文書において共通の記載である固定部分及び文書において変更される記載である可変部分に関する情報をサーバーに記憶させておくことにより、共通の記載であって一部のみが異なる文書を容易に作成することができる。そのため、使用者の作業負担が軽減され、利便性を向上させることができる。
【発明の効果】
【００１０】
本発明によると、使用者の利便性を向上させることができる画像形成装置システムを提供することができる。
【図面の簡単な説明】
【００１１】
【図１】本発明の第１実施形態に係る画像形成装置システムの構成を示す概略図である。
【図２】本発明の第１実施形態に係る画像形成装置システムが備える画像形成装置の外観概略構成を示す斜視図である。
【図３】図２に示す画像形成装置における制御構成を概略的に示すブロック図である。
【図４】本発明の第１実施形態に係る画像形成装置システムが備えるサーバーにおける制御構成を概略的に示すブロック図である。
【図５】本発明の第１実施形態に係るサーバーに記憶される文書データの一例である。
【図６】本発明の第１実施形態に係るサーバーに記憶される文書データにおいて可変部分が特定されている状態の一例を示す図である。
【図７】本発明の第１実施形態に係るサーバーに記憶される可変情報に関する情報である記載ルールの一例である。
【図８】本発明の第１実施形態に係る画像形成装置により印刷された文書の一例である。
【図９】本発明の第１実施形態に係る画像形成装置システムが備えるサーバーの制御動作の一例を示すフローチャートである。
【図１０】本発明の第２実施形態に係る画像形成装置システムが備えるサーバーの制御動作の一例を示すフローチャートである。
【図１１】本発明の第３実施形態に係る画像形成装置システムが備える画像形成装置の制御構成を概略的に示すブロック図である。
【図１２】本発明の第３実施形態に係る画像形成装置と携帯端末を接続した構成を示す概略図である。
【発明を実施するための形態】
【００１２】
以下、本発明に係る実施の形態について図面を参照しながら説明する。
【００１３】
（第１実施形態）
図１は、本発明の第１実施形態に係る画像形成装置システムの構成を示す概略図である。
【００１４】
図１に示すように、画像形成装置システム５００は、画像形成装置１００及びサーバー２００を備えている。そして、画像形成装置１００及びサーバー２００は、例えばインターネット等のネットワーク４００を介して通信可能に接続されている。なお、図示はしていないが、サーバー２００は、使用者のパーソナルコンピュータ（以下、ＰＣという）ともネットワーク４００を介して接続されている。
【００１５】
使用者は例えばＰＣにより作成した文書をデータとしてサーバー２００に記憶させることが可能である。そして、使用者は画像形成装置１００を操作することにより、サーバー２００に記憶させている文書を画像形成装置１００により用紙に印刷することができる。このようなプリントサービスを利用するためには、使用者は予め登録してアカウントを取得しておく必要がある。これにより、使用者を特定することができる。使用者はアカウントを用いてログインし、文書データをＰＣからサーバー２００へと送信することにより、文書データがサーバー２００に記憶される。
【００１６】
図面を用いて、画像形成装置１００について説明する。
【００１７】
図２は、本発明の第１実施形態に係る画像形成装置システムが備える画像形成装置の外観概略構成を示す斜視図である。図３は、図２に示す画像形成装置における制御構成を概略的に示すブロック図である。
【００１８】
図２に示すように、画像形成装置１００は、画像形成装置本体１１０と原稿読取装置１２０とを備えている。
【００１９】
原稿読取装置１２０は、画像形成装置本体１１０の上部に設けられており、原稿載置台１２１、原稿読取部１２２及び原稿自動送り装置１２３を備えている。原稿読取装置１２０は、原稿載置台１２１に載置された原稿の画像を原稿読取部１２２にて読み取るか又は原稿自動送り装置１２３にて自動的に送られる原稿の画像を原稿読取部１２２にて読み取り、読み取った原稿の画像データを画像形成装置本体１１０に送信する。原稿読取装置１２０は、原稿自動送り装置１２３にて搬送されて原稿読取部１２２にて読み取られた原稿を原稿排出トレイ１２３ａに排出する。
【００２０】
画像形成装置本体１１０は、シート収容部１１１、シート搬送部１１２、画像形成部１１３、シート排出部１１４及び操作部１１５を有している。画像形成装置本体１１０は、記録用紙等の記録シートをシート収容部１１１に収容し、シート収容部１１１に収容された記録シートをシート搬送部１１２にて搬送し、シート搬送部１１２にて搬送された記録シートに原稿読取装置１２０又は外部から送信されてきた画像データに基づいてカラー画像又はモノクロ画像を画像形成部１１３にて形成し、画像形成部１１３にて画像を形成した記録シートをシート排出部１１４におけるシート排出トレイ１１４ａに排出するようになっている。また、画像形成部１１３は、外部から送信されてきた文書データに基づいて用紙等に文書の印刷を行うこともできる。
【００２１】
操作部１１５は、表示部１６１を含み、操作部材１６５を備えている。なお、表示部１６１はタッチパネルディスプレイであって、操作に関する画像を表示するだけでなく、表示部１６１の画面に触れることにより、入力が可能となっている。また、表示部１６１は、印刷を行う文書や画像等のプレビュー表示等も可能である。
【００２２】
また、図３に示すように、画像形成装置１００は、画像形成装置１００全体の制御を司る制御部１８０をさらに備えている。上述したように、画像形成装置１００は、コピー、プリント、ファックス、スキャナ及びコンテンツサービス等の機能を有しており、制御部１８０はこれらの各機能の動作を司っており、原稿読取装置１２０及び画像形成部１１３の動作についても制御部１８０が制御している。
【００２３】
制御部１８０は、処理部１８１及びデータ取得部１８２を備えている。制御部１８０は、例えばＣＰＵ（Ｃｅｎｔｒａｌ  Ｐｒｏｃｅｓｓｉｎｇ  Ｕｎｉｔ）等のマイクロコンピュータであって、所定のプログラムを実行することにより、処理部１８１及びデータ取得部１８２の機能を実現する。
【００２４】
また、画像形成装置１００は記憶部１６２も備えている。記憶部１６２は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）やデータ書き換え可能な不揮発性メモリ等の記憶装置であり、画像形成装置１００の制御用のプログラムを記憶したり、画像形成部１１３により形成される画像や文書に関するデータを記憶したりしている。
【００２５】
処理部１８１は、記憶部１６２のＲＯＭに予め格納された制御プログラムを記憶部１６２のＲＡＭ上にロードして実行することにより、各種構成要素の作動制御を行う。記憶部１６２のＲＡＭは、それぞれ、処理部１８１に対して作業用のワークエリア、画像データを格納する画像メモリ及び文書データを格納するメモリとしての領域を提供する。
【００２６】
データ取得部１８２は、サーバー２００から送信された文書データを取得する。処理部１８１は、データ取得部１８２が取得した文書データに基づいて、画像形成部１１３が用紙に文書を印刷するように制御する。
【００２７】
次に、図面を用いて、サーバー２００について説明する。
【００２８】
図４は、本発明の第１実施形態に係る画像形成装置システムが備えるサーバーにおける制御構成を概略的に示すブロック図である。
【００２９】
図４に示すように、サーバー２００は、制御部２１０及び記憶部２２０を備えている。
【００３０】
制御部２１０は、記載位置検出部２１１、固定情報決定部２１２、可変情報決定部２１３及び合成部２１４を備えている。
【００３１】
制御部２１０は、サーバー２００の全体の動作を統括的に制御したり、各種の判断を行ったりするものである。制御部２１０は、例えば、ＣＰＵ（Ｃｅｎｔｒａｌ  Ｐｒｏｃｅｓｓｉｎｇ  Ｕｎｉｔ）等のマイクロコンピュータであって、所定のプログラムを実行することにより、記載位置検出部２１１、固定情報決定部２１２、可変情報決定部２１３及び合成部２１４の機能を実現する。
【００３２】
また、記憶部２２０は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）やデータ書き換え可能な不揮発性メモリ等の記憶装置である。記憶部２２０には、使用者がＰＣ等を用いて作成した文書データが記憶されている。なお、記憶部２２０は、文書データにおいて共通の記載である固定情報が記載される文書における固定部分と、文書データにおいて状況に応じて変更可能な記載がなされた文書における可変部分と、のそれぞれについても記憶している。さらに、記憶部２２０は、可変部分に記載される可変情報に関するデータである記載ルールについても記憶している。固定部分、可変部分、固定情報、可変情報及び記載ルール等については後述する。
【００３３】
記載位置検出部２１１は、記憶部２２０に記憶されている文書データにおいて固定部分の位置及び可変部分の位置を検出する。
【００３４】
固定情報決定部２１２は、固定部分に記載する固定情報を決定する。
【００３５】
可変情報決定部２１３は、記憶部２２０に記憶されている記載ルールにしたがって、可変情報を決定する。
【００３６】
合成部２１４は、固定部分に固定情報が記載され、可変部分に可変情報が記載されるように固定情報及び可変情報を合成して文書を作成する。
【００３７】
この合成後の文書のデータである合成後文書データは画像形成装置１００へと送信される。
【００３８】
ここで、文書における可変部分、固定部分、可変情報及び固定情報について図面を用いて説明する。図５は、本発明の第１実施形態に係るサーバーに記憶される文書データの一例である。図６は、本発明の第１実施形態に係るサーバーに記憶される文書データの可変部分の特定方法の一例を示す図である。
【００３９】
図５には、固定情報を示されている。つまり、図５において記載がなされている部分が固定部分であり、記載が固定情報である。
【００４０】
図６に示すように、文書６００には、第１指定枠６０１、第２指定枠６０２及び第３指定枠６０３が記載されている。これら第１指定枠６０１、第２指定枠６０２及び第３指定枠６０３により囲まれた箇所が可変部分であり、これらの箇所の記載は変更され得る。
【００４１】
例えば、第１指定枠６０１に囲まれた範囲内にはこの文書の宛先が記載されている。また、第２指定枠６０２に囲まれた範囲内にはこの文書の作成された日付が記載されている。また、第３指定枠６０３に囲まれた範囲内には、「ＣＯＮＦＩＤＥＮＴＩＡＬ」との記載がなされている。このように、これら、宛先、日付、秘密文書か否かについては自動で変更される。
【００４２】
例えば、プリントサービスを利用する使用者はＰＣを用いて、自らのアカウントを入力してログインし、図５に示された固定情報が固定部分に記載されている文書６００のデータをサーバー２００の記憶部２２０に記憶させる。つまり、図５に示された文書データを記憶部２２０に記憶させる。さらに、使用者は可変部分を特定する。特定の方法としては、図６における第１指定枠６０１、第２指定枠６０２及び第３指定枠６０３のように、文書中の可変部分を指定することとすればよい。さらに、これら指定した部分の可変情報に関するデータである記載ルールも記憶部２２０に記憶させる。
【００４３】
例えば、第２指定枠６０２で指定された部分には印刷した日付を記載し、有効期限としては印刷した日から１ヶ月とすることといった記載ルールを記憶させる。これにより、可変情報決定部２１３はこの記載ルールにしたがって、第２指定枠６０２で囲まれた部分に可変情報である本日の日付及びそこから１ヶ月先に当たる有効期限を記載することを決定する。そして、これら本日の日付及び有効期限は、固定情報に合成して記載される。
【００４４】
このように、サーバー２００は、固定情報に可変情報を自動で合成して、合成後文書データを作成する。
【００４５】
次に、記載ルールの例について図を用いて説明する。図７は、本発明の第１実施形態に係るサーバーに記憶される可変情報に関する情報である記載ルールの一例である。図７に示すように、使用者ごとに記載ルールが規定されている。なお、図７において、使用者については、利用者Ａ、Ｂと記載されている。可変部分の特定の際に、各可変部分の区別がつくように指定範囲の枠の色が変更されている。図７に示すように、青枠、緑枠、黄色枠、赤枠で囲うように区別されている。
【００４６】
この記載ルールにしたがって、可変情報決定部２１３が可変部分における可変情報を決定する。記載ルールには、例えば、日付情報、宛名情報、及び設置場所に関係する情報等が含まれている。日付情報は、いつの日付を記載するか、有効期限又は締め切り日等を記載するかに関する情報とすればよい。
【００４７】
また、宛名情報は、文書を送付する相手の名前に関する情報である。
【００４８】
また、設置場所に関係する情報としては、例えば寒冷地に設置された画像形成装置１００から文書を印刷する場合は、寒冷地仕様のオプション部品の追加記載を行うこととすればよい。また、都心に設置された画像形成装置１００は狭小型であり機能が制限されることから、その機能の範囲内でできる印刷以外は行わないこととすればよい。具体的には、狭小型の画像形成装置１００は、写真の印刷ができないことから、文書中に写真を載せないこととすればよい。
【００４９】
また、画像形成装置１００の設置場所によっては、通信条件が異なることから、通信条件に応じた印刷を行うこととしてもよい。これら以外に、設置場所に応じた印刷オプションを行うこととすればよい。このように、設置場所に関係する情報により、可変情報が決定されることから、印刷を行う画像形成装置１００はサーバー２００に設置場所を指示することとすればよい。
【００５０】
なお、記載ルールに含まれる情報は、上述した日付情報、宛名情報、設置場所に関係する情報及び秘密文書に関する情報に限定されるわけではなく、これら以外の情報を含むこととしてもよい。
【００５１】
合成部２１４により、固定情報及び可変情報が合成されて作成された文書のデータである合成後文書データは画像形成装置１００へと送信されるが、送信された合成後文書データは、画像形成装置１００のデータ取得部１８２により取得され、画像形成部１１３により用紙に印刷されて排出される。
【００５２】
図８は、本発明の第１実施形態に係る画像形成装置により印刷された文書の一例である。図８に示すように、印刷された用紙６１０には可変情報である宛先、日付、有効期限、「ＣＯＮＦＩＤＥＮＴＩＡＬ」の記載がなされ、可変情報以外に固定情報も記載されている。
【００５３】
次に、図面を用いてサーバー２００の制御動作について説明する。
【００５４】
図９は、本発明の第１実施形態に係る画像形成装置システムが備えるサーバーの制御動作の一例を示すフローチャートである。
【００５５】
使用者が画像形成装置１００により、サーバー２００に記憶されている文書データについて印刷する場合は、画像形成装置１００を操作してログインし、印刷する文書の文書番号を入力することにより印刷する文書を選択する。
【００５６】
これにより、画像形成装置１００からサーバー２００に送信が行われる。そして、図９に示すように、サーバー２００が、画像形成装置１００から送信された使用者のアカウント、文書番号等のデータを受け取る（ステップＳ１）。サーバー２００において、受け取った使用者のアカウント及び文書番号等より、印刷される文書データを特定し、固定部分及び可変部分の位置の検出と、固定情報及び可変情報の決定とを行う（ステップＳ２）。ここで、可変情報は、記載ルールにしたがって決定する。
【００５７】
サーバー２００は、固定部分及び可変部分を考慮して、固定情報及び可変情報の合成を行う（ステップＳ３）。そして、これらが合成されることで作成された合成後文書データを、画像形成装置１００へと送信して（ステップＳ４）、終了する。
【００５８】
画像形成装置１００において、合成後文書データを取得すると、処理部１８１は表示部１６１に合成後の文書を表示する。これにより、使用者は印刷前に文書の内容を確認することができる。使用者は、文書を確認した後、操作部１１５を操作して文書を印刷すればよい。
【００５９】
以上、第１実施形態に係る画像形成装置システム５００について説明した。この画像形成装置システム５００によれば、文書の可変部分に記載される可変情報は自動で作成されて文書に記載されることから、使用者の作業量が軽減され、利便性を向上させることができる。
【００６０】
（第２実施形態）
本発明の第２実施形態に係る画像形成装置システムは、記載ルールに文書の出力期限（印刷期限）が規定されており、出力期限が過ぎているものについては印刷しない点が、本発明の第１実施形態に係る画像形成装置システム５００とは異なり、その他の点は画像形成装置システム５００と同様である。したがって、第２実施形態に係る画像形成装置システムの構成は、第１実施形態に係る画像形成装置システム５００と同様であるので説明を省略し、動作について説明する。
【００６１】
図１０は、本発明の第２実施形態に係る画像形成装置システムが備えるサーバーの制御動作の一例を示すフローチャートである。
【００６２】
使用者が画像形成装置１００により、サーバー２００に記憶されている文書データについて印刷する場合は、画像形成装置１００を操作してログインし、印刷する文書の文書番号を入力することにより印刷する文書を選択する。
【００６３】
これにより、画像形成装置１００からサーバー２００に送信が行われる。そして、図１０に示すように、サーバー２００が、画像形成装置１００から送信された使用者のアカウント、文書番号等のデータを受け取る（ステップＳ１１）。サーバー２００において、受け取った使用者のアカウント及び文書番号等より、対象となる文書データに関する記載ルール中に出力期限について規定されているかを判断する（ステップＳ１２）。なお、この判断は、例えば可変情報決定部２１３により行うこととしてもよい。
【００６４】
対象となる文書データに関する記載ルール中に出力期限について規定されていない場合は（ステップＳ１２：Ｎｏ）、サーバー２００において、受け取った使用者のアカウント及び文書番号等より、印刷される文書データを特定し、固定部分及び可変部分の位置の検出と、固定情報及び可変情報の決定とを行う（ステップＳ１３）。ここで、可変情報は、記載ルールにしたがって決定する。
【００６５】
サーバー２００は、固定部分及び可変部分を考慮して、固定情報及び可変情報の合成を行う（ステップＳ１４）。そして、合成されることで作成された合成後文書データを、画像形成装置１００へと送信して（ステップＳ１５）、終了する。
【００６６】
また、対象となる文書データに関する記載ルール中に出力期限について規定されている場合は（ステップＳ１２：Ｙｅｓ）、出力期限内か否かを判断する（ステップＳ１６）。この判断も、例えば可変情報決定部２１３により行うこととしてもよい。
【００６７】
出力期限内である場合は（ステップＳ１６：Ｙｅｓ）、ステップＳ１３へと進み、出力期限内でない場合は（ステップＳ１６：Ｎｏ）、出力期限が過ぎているとの情報を画像形成装置１００に送信して（ステップＳ１７）、終了する。
【００６８】
画像形成装置１００において、合成後文書データを取得すると、処理部１８１は表示部１６１に合成後の文書を表示する。これにより、使用者は印刷前に文書の内容を確認することができる。使用者は、文書を確認した後、操作部１１５を操作して文書を印刷すればよい。
【００６９】
また、画像形成装置１００において、出力期限が過ぎているとの情報を取得した場合は、処理部１８１は表示部１６１により、出力期限が過ぎていることから、出力（印刷）できないことを警告する表示を行う。
【００７０】
なお、出力（印刷）できないことの警告は、表示部１６１により行わずに、例えば音声により行う等、他の方法により行ってもよい。
【００７１】
（第３実施形態）
本発明の第３実施形態に係る画像形成装置システムは、使用者が画像形成装置において可変情報を変更することができる点が、本発明の第１実施形態に係る画像形成装置システム５００とは異なり、その他の点は画像形成装置システム５００と同様である。なお、以下の説明では、第１実施形態と同様の点については説明を省略する。また、図面において同様の部材については同じ符号を付している。
【００７２】
図１１は、本発明の第３実施形態に係る画像形成装置システムが備える画像形成装置の制御構成を概略的に示すブロック図である。図１２は、本発明の第３実施形態に係る画像形成装置と携帯端末を接続した構成を示す概略図である。
【００７３】
図１１に示すように、第３実施形態に係る画像形成装置システムが備える画像形成装置１００ａにおいて、携帯端末接続部１６３を備え、制御部１８０が編集部１８３を有する点が画像形成装置１００とは異なるが、その他の点は同様である。
【００７４】
携帯端末接続部１６３は、画像形成装置１００ａに携帯端末を接続させるためのコネクタである。図１２に示すように、例えば携帯端末接続部１６３にスマートフォン等の携帯端末３００に接続したコード３０１を接続することにより、携帯端末接続部１６３と画像形成装置１００ａとを接続すればよい。これにより、携帯端末３００と画像形成装置１００ａとが通信可能に接続される。
【００７５】
使用者は携帯端末３００を操作することにより、合成後文書データにおける可変情報を編集することができる。具体的には、携帯端末３００の操作に応じて、編集部１８３はデータ取得部１８２により取得された合成後文書データを編集する。また、合成後文書データにおける可変情報の編集は、画像形成装置１００ａにより行うことができることとしてもよい。例えば、画像形成装置１００ａの操作部材１６５のソフトキーボード等が操作されることにより、データ取得部１８２により取得された合成後文書データを編集部１８３が編集することとしてもよい。なお、使用者が携帯端末３００及び画像形成装置１００ａの両方を操作することにより、合成後文書データにおける可変情報の編集が行われることとしてもよい。
【００７６】
これにより、固定情報及び可変情報を合成した後でも、文書の修正が可能であり、利便性が高い。
【００７７】
なお、携帯端末３００は、スマートフォン以外であってもよく、例えば、タブレット型のＰＣやノート型のＰＣとすればよい。また、有線により携帯端末３００と画像形成装置１００ａとを接続することとしたが、例えばＷｉ−Ｆｉ等の無線ＬＡＮにより携帯端末３００及び画像形成装置１００ａ間の通信が可能であることとしてもよい。また、可変情報だけでなく、固定情報についても使用者が編集可能であることとしてもよい。
【００７８】
また、本発明の一態様に係る画像形成装置システムにおいて、前記サーバーは、前記可変部分に記載される内容について規定された記載ルールを記憶する記載ルール記憶手段を備え、前記記載情報決定手段は、前記記載ルール記憶手段に記憶された前記記載ルールにしたがって、前記可変部分に記載される可変情報を決定することとしてもよい。
【００７９】
これにより、記載ルールにしたがって、サーバーが可変情報を決定するので、使用者が可変情報を指示する操作を行う必要がなく、使用者の作業量が軽減することから、利便性が高い。
【００８０】
また、本発明の一態様に係る画像形成装置システムにおいて、前記可変情報には、日付情報、宛名情報、及び設置場所に関係する情報の少なくとも何れかが含まれていることとしてもよい。
【００８１】
これにより、日付や宛名を自動で変更して印刷したり、画像形成装置が設置された場所特有の事項を自動で文書に追加して印刷したり、することができる。そのため、使用者の作業量が軽減され、利便性が高い。
【００８２】
また、本発明の一態様に係る画像形成装置システムにおいて、前記画像形成装置の設置場所に基づいて前記可変情報が決定されることとしてもよい。
【００８３】
これにより、画像形成装置が設置された場所における特有の事項を自動で文書に追加して印刷することができる。例えば、画像形成装置において印刷する文書が、商品のカタログである場合に、寒冷地に設置された画像形成装置であれば寒冷地仕様のオプション等の部品についても共通の記載に追加して印刷することができる。また、都心部に設置された画像形成装置には狭小化のために写真の印刷ができないものもあり、このような場所に設置された画像形成装置であれば写真の印刷を省略することができる。このため、使用者の作業量が軽減され、利便性が高い
また、本発明の一態様に係る画像形成装置システムにおいて、前記サーバーには文書の出力期限が記憶されており、前記画像形成装置は、出力期限を過ぎている文書は印刷しないこととしてもよい。
【００８４】
これにより、出力期限が過ぎている文書を誤って印刷することを防ぐことができ、無駄な印刷を防ぐことができ、利便性が高い。
【００８５】
また、本発明の一態様に係る画像形成装置システムにおいて、前記画像形成装置は、出力期限を過ぎている文書の印刷指示があった場合は、期限が過ぎていることを警告する警告手段を備えることとしてもよい。
【００８６】
これにより、使用者は、印刷しようとしている文書の出力期限が過ぎていることを容易に認識することができる。
【００８７】
また、本発明の一態様に係る画像形成装置システムにおいて、前記画像形成装置は、前記合成後文書データに基づく文書を表示する表示手段を備えていることとしてもよい。
【００８８】
これにより、使用者は、印刷前に、文書を確認することができ、利便性が高い。
【００８９】
また、本発明の一態様に係る画像形成装置システムにおいて、前記画像形成装置は、入力手段と、前記入力手段による操作に応じて前記合成後文書データの編集を行う編集手段と、を備えていることとしてもよい。
【００９０】
これにより、使用者は自分でも文書の編集を容易に行うことができるため、利便性が高い。
【００９１】
また、本発明の一態様に係る画像形成装置システムにおいて、前記画像形成装置は、携帯端末と通信可能であり、前記携帯端末による操作に応じて、前記合成後文書データの編集を行う編集手段を備えていることとしてもよい。
【００９２】
これにより、使用者は自分でも文書の編集を容易に行うことができるため、利便性が高い。
【００９３】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００９４】
１００、１００ａ        画像形成装置
１１０                  画像形成装置本体
１１１                  シート収容部
１１２                  シート搬送部
１１３                  画像形成部（印刷手段）
１１４                  シート排出部
１１４ａ                シート排出トレイ
１１５                  操作部
１２０                  原稿読取装置
１２１                  原稿載置台
１２２                  原稿読取部
１２３                  原稿自動送り装置
１２３ａ                原稿排出トレイ
１６１                  表示部（警告手段）
１６２                  記憶部
１６３                  携帯端末接続部
１６５                  操作部材（入力手段）
１８０                  制御部
１８１                  処理部
１８２                  データ取得部
１８３                  編集部
２００                  サーバー
２１０                  制御部
２１１                  記載位置検出部
２１２                  固定情報決定部（記載情報決定手段）
２１３                  可変情報決定部（記載情報決定手段）
２１４                  合成部
２２０                  記憶部（文書データ記憶手段、記載ルール記憶手段）
３００                  携帯端末
３０１                  コード
４００                  ネットワーク
５００                  画像形成装置システム
６００                  文書
６１０                  用紙
６０１                  第１指定枠
６０２                  第２指定枠
６０３                  第３指定枠
【図１】
2020086822.tif 000003
【図２】
2020086822.tif 000004
【図３】
2020086822.tif 000005
【図４】
2020086822.tif 000006
【図５】
2020086822.tif 000007
【図６】
2020086822.tif 000008
【図７】
2020086822.tif 000009
【図８】
2020086822.tif 000010
【図９】
2020086822.tif 000011
【図１０】
2020086822.tif 000012
【図１１】
2020086822.tif 000013
【図１２】
2020086822.tif 000014